(57)【要約】【課題】携帯電話機が有する複数の機能を登録する際の操作性を高める。【解決手段】車載ナビゲーション装置１は、ユーザが最初にＨＦ機能の登録操作を行うと、携帯電話機１１の間でＨＦＰを接続してＨＦ機能を携帯電話機１１と対応付けて登録し、続いて携帯電話機１１がＡＶ機能を有していると、ＡＶ機能を登録するか否かをユーザに問合わせるＡＶ機能登録画面を表示し、ユーザがＡＶ機能の登録操作を行うと、携帯電話機１１との間でＡＶＰを接続してＡＶ機能をＨＦ機能と対応付けて登録した携帯電話機１１と対応付けて登録する。【選択図】図１
2008278172.tif 000002
【特許請求の範囲】
【請求項１】
携帯端末が近距離無線通信圏内に存在しているときに前記携帯端末が有する機能に対応する通信プロトコルを前記携帯端末との間で接続可能な近距離無線通信手段と、
ユーザによる所定操作を受付ける操作受付手段と、
前記携帯端末が有する機能を登録するか否かをユーザに問合わせる問合情報を出力する問合情報出力手段と、
前記携帯端末が有する機能に対応する通信プロトコルを前記近距離無線通信手段と前記携帯端末との間で接続させて前記携帯端末が有する機能を前記携帯端末と対応付けて登録する制御手段とを備えた車載装置であって、
前記制御手段は、前記携帯端末が有する一の機能に対応する一の通信プロトコルを前記近距離無線通信手段と前記携帯端末との間で接続させて前記一の機能を前記携帯端末と対応付けて登録した後に前記携帯端末が他の機能を有しているか否かを判定し、前記携帯端末が他の機能を有している旨を判定したときに、前記他の機能を登録するか否かをユーザに問合わせる問合情報を前記問合情報出力手段から出力させ、ユーザによる登録可を表す操作を前記操作受付手段が受付けたときに、前記他の通信プロトコルを前記近距離無線通信手段と前記携帯端末との間で接続させて前記他の機能を前記一の機能と対応付けて登録した携帯端末と対応付けて登録することを特徴とする車載装置。
【請求項２】
携帯端末が近距離無線通信圏内に存在しているときに前記携帯端末が有する機能に対応する通信プロトコルを前記携帯端末との間で接続可能な近距離無線通信手段と、
ユーザによる所定操作を受付ける操作受付手段と、
前記携帯端末が有する機能を登録するか否かをユーザに問合わせる問合情報を出力する問合情報出力手段と、
前記携帯端末が有する機能に対応する通信プロトコルを前記近距離無線通信手段と前記携帯端末との間で接続させて前記携帯端末が有する機能を前記携帯端末と対応付けて登録する制御手段とを備えた車載装置であって、
前記制御手段は、前記携帯端末が有する一の機能に対応する一の通信プロトコルを前記近距離無線通信手段と前記携帯端末との間で接続させて前記一の機能を前記携帯端末と対応付けて登録するときに前記携帯端末が他の機能を有しているか否かを判定し、前記携帯端末が他の機能を有している旨を判定したときに、前記他の機能を登録するか否かをユーザに問合わせる問合情報を前記問合情報出力手段から出力させ、ユーザによる登録可を表す操作を前記操作受付手段が受付けたときに、前記他の通信プロトコルを前記近距離無線通信手段と前記携帯端末との間で接続させて前記他の機能を前記一の機能と対応付けて登録した携帯端末と対応付けて登録することを特徴とする車載装置。
【請求項３】
請求項１または２に記載した車載装置において、
前記制御手段は、ユーザによる登録可を表す操作を前記操作受付手段が受付けなかったときに、前記他の通信プロトコルを前記近距離無線通信手段と前記携帯端末との間で接続させることなく前記他の機能を前記携帯端末と対応付けて登録しないことを特徴とする車載装置。
【発明の詳細な説明】
【技術分野】
【０００１】
本発明は、携帯端末が近距離無線通信圏内に存在しているときに前記携帯端末が有する機能に対応する通信プロトコルを前記携帯端末との間で接続可能に構成されてなる車載装置に関する。
【背景技術】
【０００２】
Ｂｌｕｅｔｏｏｔｈ（登録商標）通信機能を有するハンズフリー機能付き車載ナビゲーション装置（以下、単に車載ナビゲーション装置と称する）では、Ｂｌｕｅｔｏｏｔｈ通信機能付き携帯電話機（以下、単に携帯電話機と称する）との間でＨＦＰ（ハンズフリー・プロファイル）を接続することにより、ＨＦ機能を登録し、ＨＦ機能を使用可能となるように構成されている（例えば特許文献１参照）。
【特許文献１】特開２００２−２２３２８８号公報
【発明の開示】
【発明が解決しようとする課題】
【０００３】
ところで、近年では、車載ナビゲーション装置と携帯電話機との間で接続可能なプロファイルとしてＨＦＰ以外の幾つかのプロファイルが実用化されつつあり、その１つとして例えばＡＶＰ（オーディオ・ビジュアル・プロファイル）がある。従来は、ユーザは車載ナビゲーション装置にＨＦ機能とＡＶ機能とを登録するには機能毎に携帯電話機の登録操作を行う必要があった。
【０００４】
しかしながら、車載ナビゲーション装置に複数の機能を登録する際に機能毎に携帯電話機の登録操作を行う必要がある構成では、ＨＦ機能を登録する際に携帯電話機の登録操作を行ったのにも拘わらず、ＡＶ機能を登録する際にも携帯電話機の登録操作を行う必要があり、操作性に劣るという問題があった。
【０００５】
本発明は、上記した事情に鑑みてなされたものであり、その目的は、携帯端末が有する複数の機能を登録する際の操作性を高めることができる車載装置を提供することにある。
【課題を解決するための手段】
【０００６】
請求項１に記載した発明によれば、制御手段は、携帯端末が有する一の機能に対応する一の通信プロトコルを近距離無線通信手段と携帯端末との間で接続させて一の機能を携帯端末と対応付けて登録した後に携帯端末が他の機能を有しているか否かを判定し、携帯端末が他の機能を有している旨を判定すると、他の機能を登録するか否かをユーザに問合わせる問合情報を問合情報出力手段から出力させる。そして、制御手段は、ユーザによる登録可を表す操作を操作受付手段が受付けると、他の通信プロトコルを近距離無線通信手段と携帯端末との間で接続させて他の機能を一の機能と対応付けて登録した携帯端末と対応付けて登録する。
【０００７】
すなわち、このものによれば、ユーザが最初に例えばＨＦ機能の登録操作を行うと、携帯端末との間でＨＦＰを接続してＨＦ機能を携帯端末と対応付けて登録した後に、携帯端末が他の機能を有しているか否かを判定し、携帯端末が例えばＡＶ機能を有している旨を判定すると、ＡＶ機能を登録するか否かをユーザに問合わせる問合情報を出力する。そして、ユーザがＡＶ機能の登録操作を行うと、携帯端末との間でＡＶＰを接続してＡＶ機能をＨＦ機能と対応付けて登録した携帯端末と対応付けて登録する。これにより、携帯端末がＨＦ機能とＡＶ機能との複数の機能を有しており、ユーザがＨＦ機能とＡＶ機能とを登録する際に機能毎に携帯端末の登録操作を行う必要がなく、それらＨＦ機能とＡＶ機能とを続けて登録することができ、複数の機能を登録する際の操作性を高めることができる。
【０００８】
請求項２に記載した発明によれば、制御手段は、携帯端末が有する一の機能に対応する一の通信プロトコルを近距離無線通信手段と携帯端末との間で接続させて一の機能を携帯端末と対応付けて登録するときに携帯端末が他の機能を有しているか否かを判定し、携帯端末が他の機能を有している旨を判定すると、他の機能を登録するか否かをユーザに問合わせる問合情報を問合情報出力手段から出力させる。そして、制御手段は、ユーザによる登録可を表す操作を操作受付手段が受付けると、他の通信プロトコルを近距離無線通信手段と携帯端末との間で接続させて他の機能を一の機能と対応付けて登録した携帯端末と対応付けて登録する。
【０００９】
すなわち、このものによれば、ユーザが最初に例えばＨＦ機能の登録操作を行うと、携帯端末との間でＨＦＰを接続してＨＦ機能を携帯端末と対応付けて登録するときに、携帯端末が他の機能を有しているか否かを判定し、携帯端末が例えばＡＶ機能を有している旨を判定すると、ＡＶ機能を登録するか否かをユーザに問合わせる問合情報を出力する。そして、ユーザがＡＶ機能の登録操作を行うと、携帯端末との間でＡＶＰを接続してＡＶ機能をＨＦ機能と対応付けて登録した携帯端末と対応付けて登録する。これにより、上記した請求項１に記載したものと同様にして、携帯端末がＨＦ機能とＡＶ機能との複数の機能を有しており、ユーザがＨＦ機能とＡＶ機能とを登録する際に機能毎に携帯端末の登録操作を行う必要がなく、それらＨＦ機能とＡＶ機能とを続けて登録することができ、複数の機能を登録する際の操作性を高めることができる。
【００１０】
請求項３に記載した発明によれば、制御手段は、ユーザによる登録可を表す操作を操作受付手段が受付けないと、他の通信プロトコルを近距離無線通信手段と携帯端末との間で接続させることなく他の機能を携帯端末と対応付けて登録しない。すなわち、このものによれば、ユーザが最初に例えばＨＦ機能の登録操作を行い、携帯端末との間でＨＦＰを接続してＨＦ機能を携帯端末と対応付けて登録した後に、ユーザが例えばＡＶ機能の登録操作を行うか否かにより、携帯端末との間でＡＶＰを接続してＡＶ機能を携帯端末と対応付けて登録するかＡＶＰを接続することなくＡＶ機能を携帯端末と対応付けて登録しないかを選択することができる。
【発明を実施するための最良の形態】
【００１１】
（第１の実施形態）
以下、本発明を、Ｂｌｕｅｔｏｏｔｈ通信機能を有するハンズフリー機能付き車載ナビゲーション装置（以下、車載ナビゲーション装置と称する）に適用した第１の実施形態について、図１ないし図４を参照して説明する。図１は、車載ナビゲーション装置にあって発明の要部を機能ブロック図として示している。車載ナビゲーション装置１は、制御部２（本発明でいう制御手段）、Ｂｌｕｅｔｏｏｔｈ通信部３（本発明でいう近距離無線通信手段）、操作受付部４（本発明でいう操作受付手段）、表示部５（本発明でいう問合情報出力手段）、作業メモリ６、記憶メモリ７、音声処理部８、マイクロホン９及びスピーカ１０を備えて構成されている。
【００１２】
制御部２は、車載ナビゲーション装置１の通信動作やデータ管理動作などの動作全般を制御する。Ｂｌｕｅｔｏｏｔｈ通信部３は、Ｂｌｕｅｔｏｏｔｈ通信機能付き携帯電話機（以下、携帯電話機と称する）１１（本発明でいう携帯端末）がＢｌｕｅｔｏｏｔｈ通信圏内に存在していれば、そのＢｌｕｅｔｏｏｔｈ通信圏内に存在している携帯電話機１１との間で通信回線を確立してＢｌｕｅｔｏｏｔｈの通信規格に準拠した通信を行う。
【００１３】
携帯電話機１１は、複数の機能として例えばＨＦＰ（ハンズフリー・プロファイル）（本発明でいう一のプロトコル）に対応する機能（ＨＦ機能）及びＡＶＰ（オーディオ・ビジュアル・プロファイル）（本発明でいう他のプロトコル）に対応する機能（ＡＶ機能）を有しており、制御部２は、Ｂｌｕｅｔｏｏｔｈ通信部３と携帯電話機１１との間でＨＦＰを接続してＨＦ機能を登録し、Ｂｌｕｅｔｏｏｔｈ通信部３と携帯電話機１１との間でＡＶＰを接続してＡＶ機能を登録する。
【００１４】
操作受付部４は、ユーザによる操作を検出し、その操作内容を表す操作信号を制御部２に出力する。表示部５は、制御部２から表示信号を入力すると、その入力した表示信号に基づいて表示画面を表示する。作業メモリ６は、揮発性のメモリから構成され、例えば携帯電話機１１から転送されたデータ（例えば電話帳データ、発信履歴データ及び着信履歴データなど）を記憶し、記憶メモリ７は、不揮発性のメモリから構成され、例えば携帯電話機１１から転送されたデータなどを記憶する。この場合、制御部２は、これら作業メモリ６や記憶メモリ７におけるデータの記憶動作を管理すると共に、例えばユーザがデータの表示要求を操作受付部４にて行うと、作業メモリ６や記憶メモリ７に記憶されているデータを表示部４に表示させる。
【００１５】
音声処理部８は、マイクロホン９が入力した入力音声やスピーカ１０が出力する出力音声を音声処理する。この場合、制御部２は、Ｂｌｕｅｔｏｏｔｈ通信部３と携帯電話機１１との間でＨＦＰを接続してハンズフリー通話を行うときには、マイクロホン９が入力した音声をＢｌｕｅｔｏｏｔｈ通信部３から携帯電話機１１に送信させて携帯電話機１１から携帯電話網に送信させると共に、携帯電話機１１が携帯電話網から受信した音声を携帯電話機１１からＢｌｕｅｔｏｏｔｈ通信部３に受信させてスピーカ１０から出力させる。
【００１６】
尚、上記したナビゲーション装置１は、図示した機能ブロックの他に、自車両の現在位置を検出する現在位置検出部、現在位置から目的地までの経路を探索する経路探索部、地図データが記録されている記録媒体から地図データを読取る地図データ読取部、ＶＩＣＳ（登録商標）センターから配信されたＶＩＣＳ情報を受信するＶＩＣＳ情報受信部、ユーザが発した音声を認識する音声認識部などのナビゲーション動作に必要な機能ブロックをも備えて構成されている。
【００１７】
また、上記したナビゲーション装置１は、ＡＣＣスイッチのオンオフに連動して起動・停止するように構成されており、例えばユーザがＡＣＣスイッチを操作したことに応じてＡＣＣスイッチがオンからオフに切替わり、電源供給が停止されると、その時点で記憶メモリ７に記憶されているデータは消去されないが（記憶保持されるが）、その時点で作業メモリ６に記憶されているデータは消去されるように構成されている。
【００１８】
次に、上記した構成の作用について、図２ないし図４を参照して説明する。尚、ここでは、ユーザが携帯電話機１１を車内に持込んでおり、車載ナビゲーション装置１と携帯電話機１１とがＢｌｕｅｔｏｏｔｈ通信可能な状態にあることを前提として説明する。また、ここでは、Ｂｌｕｅｔｏｏｔｈ通信部３と携帯電話機１１とがＨＦＰとＡＶＰとを同時に接続可能（いわゆるマルチ接続可能）であることを前提として説明する。
【００１９】
車載ナビゲーション装置１において、制御部２は、ＨＦ機能登録画面（図４（ａ）参照）を表示部４に表示させている状態で、ユーザが「Ｎｅｗ  Ｐｈｏｎｅ」キーを押下したことに応じてＨＦ機能の登録操作を操作受付部５により受付けると、「ＨＦＰ接続モード設定要求」をＢｌｕｅｔｏｏｔｈ通信部３に出力する。次いで、制御部２は、Ｂｌｕｅｔｏｏｔｈ通信部３から「ＨＦＰ接続モード設定応答」を入力すると、Ｂｌｕｅｔｏｏｔｈ通信部３と携帯電話機１１との間でＨＦＰを接続させ、携帯電話機１１と共にＨＦＰ接続待機状態に移行し（ステップＳ１）、ＨＦＰ接続待機画面（図４（ｂ）参照）を表示部５に表示させる。
【００２０】
次いで、制御部２は、ＨＦＰ接続待機状態に移行した後に、携帯電話機１１から「ＰＩＮ要求」をＢｌｕｅｔｏｏｔｈ通信部３により受信すると、「ＰＩＮ応答要求」をＢｌｕｅｔｏｏｔｈ通信部３から携帯電話機１１に送信させ、ユーザが携帯電話機１１を操作してＰＩＮを入力する旨を待機する。ここで、ユーザが携帯電話機１１を操作してＰＩＮを入力し、携帯電話機１１から「ＰＩＮ応答」、「リンクキー」、「認証結果」、「ＨＦＰ接続完了」をＢｌｕｅｔｏｏｔｈ通信部３により順次受信したことに応じてＢｌｕｅｔｏｏｔｈ通信部３から「ＨＦＰ接続完了」を入力すると、携帯電話機１１と共にＨＦＰ接続状態に移行し（ステップＳ２）、ＨＦ機能を携帯電話機１１と対応付けて登録し、ＨＦＰ接続完了画面（図４（ｃ）参照）を表示部５に表示させる。これにより、ユーザは、ＨＦＰ接続完了画面を確認することにより、車載ナビゲーション装置１が携帯電話機１１との間でＨＦＰを接続してＨＦ機能を登録した旨を確認することができる。
【００２１】
ここで、携帯電話機１１は、ＨＦＰ接続待機状態に移行すると、「ＡＶ機能登録要求」をＢｌｕｅｔｏｏｔｈ通信部３に送信する。
制御部２は、携帯電話機１１から「ＡＶ機能登録要求」をＢｌｕｅｔｏｏｔｈ通信部３により受信したことに応じてＢｌｕｅｔｏｏｔｈ通信部３から「ＡＶ機能登録要求」を入力すると、ＡＶ機能登録画面（図４（ｄ）参照）（本発明でいう問合情報）を表示部５に表示させる。この場合、ユーザは、ＡＶ機能を登録するか否かを選択する。
【００２２】
制御部２は、ユーザが「Ｙｅｓ」キーを押下した（ＡＶ機能登録操作あり）ことに応じてＡＶ機能の登録操作を操作受付部５により受付けると、図２に示すように、「ＡＶＰ接続モード設定要求」をＢｌｕｅｔｏｏｔｈ通信部３に出力する。次いで、制御部２は、Ｂｌｕｅｔｏｏｔｈ通信部３から「ＡＶＰ接続モード設定応答」を入力すると、携帯電話機１１と共にＡＶＰ接続待機状態に移行し（ステップＳ３）、ＡＶＰ接続待機画面（図４（ｅ）参照）を表示部５に表示させる。
【００２３】
次いで、制御部２は、「ＰＩＮ応答要求」をＢｌｕｅｔｏｏｔｈ通信部３から携帯電話機１１に送信させ、ユーザが携帯電話機１１を操作してＰＩＮを入力する旨を待機する。ここで、ユーザが携帯電話機１１を操作してＰＩＮを入力し、携帯電話機１１から「ＰＩＮ応答」をＢｌｕｅｔｏｏｔｈ通信部３により受信したことに応じてＢｌｕｅｔｏｏｔｈ通信部３から「ＡＶＰ接続完了」を入力すると、携帯電話機１１と共にＨＦＰ・ＡＶＰ接続状態に移行し（ステップＳ４）、ＡＶ機能をＨＦ機能と対応付けて登録した携帯電話機１１と対応付けて登録し、ＡＶＰ接続完了画面（図４（ｆ）参照）を表示部５に表示させる。これにより、ユーザは、ＡＶＰ接続完了画面を確認することにより、車載ナビゲーション装置１が携帯電話機１１との間でＡＶＰを接続してＡＶ機能を登録した旨を確認することができる。
【００２４】
一方、制御部２は、ユーザが「Ｎｏ」キーを押下した（ＡＶ機能登録操作なし）ことに応じてＡＶ機能の登録操作を操作受付部５により受付けないと、図３に示すように、「ＡＶＰ拒否モード設定要求」をＢｌｕｅｔｏｏｔｈ通信部３に出力し、「ＡＶＰ拒否モード設定要求」をＢｌｕｅｔｏｏｔｈ通信部３から携帯電話機１１に送信させ、ＡＶＰ接続待機状態に移行することはない。
【００２５】
以上に説明した一連の処理により、ユーザは、車載ナビゲーション装置１が携帯電話機１１との間でＨＦＰを接続してＨＦ機能を登録した後に、ＡＶ機能登録画面にて「Ｙｅｓ」キー及び「Ｎｏ」キーのうちいずれかを押下することにより、ＨＦ機能を登録したことに続いてＢｌｕｅｔｏｏｔｈ通信部３と携帯電話機１１との間でＡＶＰを接続してＡＶ機能を登録するか否かを選択することできる。
【００２６】
尚、以上は、Ｂｌｕｅｔｏｏｔｈ通信部３と携帯電話機１１とがＨＦＰとＡＶＰとを同時に接続可能であることを前提として説明したが、Ｂｌｕｅｔｏｏｔｈ通信部３と携帯電話機１１とがＨＦＰとＡＶＰとを同時に接続不可能であれば、接続しているＨＦＰを切断した後にＡＶＰを接続する。また、車載ナビゲーション装置１が携帯電話機１１との間でＨＦＰを接続してＨＦ機能を登録した後にＡＶ機能登録画面を表示することに限らず、車載ナビゲーション装置１が携帯電話機１１との間でＨＦＰを接続してＨＦ機能を登録するときにＡＶ機能登録画面を表示し、ユーザがＡＶ機能登録画面にて「Ｙｅｓ」キー及び「Ｎｏ」キーのうちいずれかを押下することにより、ＨＦ機能を登録したことに続いてＡＶ機能を登録するか否かを選択しても良い。
【００２７】
以上に説明したように第１の実施形態によれば、車載ナビゲーション装置１において、ユーザが最初にＨＦ機能の登録操作を行うと、携帯電話機１１の間でＨＦＰを接続してＨＦ機能を携帯電話機１１と対応付けて登録し、続いて携帯電話機１１がＡＶ機能を有していると、ＡＶ機能を登録するか否かをユーザに問合わせるＡＶ機能登録画面を表示し、ユーザがＡＶ機能の登録操作を行うと、携帯電話機１１との間でＡＶＰを接続してＡＶ機能をＨＦ機能と対応付けて登録した携帯電話機１１と対応付けて登録する。これにより、ユーザがＨＦ機能とＡＶ機能とを登録する際に機能毎に携帯電話機１１の登録操作を行う必要がなく、それらＨＦ機能とＡＶ機能とを続けて登録することができ、それらＨＦ機能とＡＶ機能とを登録する際の操作性を高めることができる。
【００２８】
（第２の実施形態）
次に、本発明の第２の実施形態について、図５及び図６を参照して説明する。尚、上記した第１の実施形態と同一部分については説明を省略し、異なる部分について説明する。上記した第１の実施形態は、携帯電話機１１がＨＦＰ接続待機状態に移行した後に「ＡＶ機能登録要求」をＢｌｕｅｔｏｏｔｈ通信部３に自発的に送信する構成であるが、これに対して、第２の実施形態は、携帯電話機１１がＨＦＰ接続待機状態に移行した後にＡＶ機能登録要求」をＢｌｕｅｔｏｏｔｈ通信部３に自発的に送信しない構成である。
【００２９】
すなわち、携帯電話機１１は、ＨＦＰ接続待機状態に移行すると、「ＡＶ機能登録要求」をＢｌｕｅｔｏｏｔｈ通信部３に送信することなく、Ｂｌｕｅｔｏｏｔｈ通信部３から「機能確認要求」を所定時間が経過するまで待機する。
制御部２は、携帯電話機１１と共にＨＦＰ接続状態に移行すると（ステップＳ２）、ＨＦ機能を携帯電話機１１と対応付けて登録し、ＨＦＰ接続完了画面を表示部５に表示させると共に、「機能確認要求」をＢｌｕｅｔｏｏｔｈ通信部３から携帯電話機１１に送信させる。そして、制御部２は、携帯電話機１１から当該携帯電話機１１が有する機能を表す
「機能応答（本実施形態では（ＡＶ機能））」をＢｌｕｅｔｏｏｔｈ通信部３により受信したことに応じて上記した第１の実施形態で説明したようにＢｌｕｅｔｏｏｔｈ通信部３から「ＡＶ機能登録要求」を入力すると、ＡＶ機能登録画面）を表示部５に表示させ、これ以降、上記した第１の実施形態で説明したものと同様の処理を行う。すなわち、制御部２は、ユーザが「Ｙｅｓ」キーを押下したことに応じてＡＶ機能の登録操作を操作受付部５により受付けると、図５に示すように、ＡＶＰ接続待機状態に移行し（ステップＳ３）、一方、ユーザが「Ｎｏ」キーを押下したことに応じてＡＶ機能の登録操作を操作受付部５により受付けないと、図６に示すように、ＡＶＰ接続待機状態に移行することはない。
【００３０】
以上に説明したように第２の実施形態によれば、上記した第１の実施形態に記載したものと同様の作用効果を得ることができる。
【００３１】
（その他の実施形態）
本発明は、上記した実施形態にのみ限定されるものではなく、以下のように変形または拡張することができる。
車載ナビゲーション装置１と携帯電話機１１との間でＨＦＰやＡＶＰ以外のプロファイル（例えばＯＰＰ（オブジェクト・プッシュ・プロファイル）やＰＢＡＰ（フォン・ブック・アクセス・プロファイル）など）を接続する構成であっても良い。
【００３２】
携帯端末が電話機能を有する携帯情報端末であっても良い。
Ｂｌｕｅｔｏｏｔｈ通信機能を有するハンズフリー機能付き車載ナビゲーション装置１に適用する構成に限らず、Ｂｌｕｅｔｏｏｔｈ通信機能を有する車載ハンズフリー装置に適用する構成であっても良い。また、車載ナビゲーション装置１がポータブル性を有する（可搬タイプの）構成であっても良い。
ＡＶ機能を登録するか否かを問合わせる問合情報としてＡＶ機能登録画面を表示部５に表示する構成に限らず、音声ガイダンスを出力して問合わせる構成であっても良いし、ＡＶ機能登録画面を表示すると共に音声ガイダンスを出力して問合わせる構成であっても良い。
【図面の簡単な説明】
【００３３】
【図１】本発明の第１の実施形態を示す機能ブロック図
【図２】フローチャート
【図３】図２相当図
【図４】表示画面の一例を示す図
【図５】本発明の第２の実施形態を示すフローチャート
【図６】図５相当図
【符号の説明】
【００３４】
図面中、１はハンズフリー機能付き車載ナビゲーション装置（車載装置）、２は制御部（制御手段）、３はＢｌｕｅｔｏｏｔｈ通信部（近距離無線通信手段）、４は操作受付部（操作受付手段）、５は表示部（問合情報出力手段）、１１はＢｌｕｅｔｏｏｔｈ通信機能付き携帯電話機（携帯端末）である。
【図１】
2008278172.tif 000003
【図２】
2008278172.tif 000004
【図３】
2008278172.tif 000005
【図４】
2008278172.tif 000006
【図５】
2008278172.tif 000007
【図６】
2008278172.tif 000008